(57)【要約】輸送機関内に配置された機内エンターテインメントシステムの複数のユニットのステータスを登録および監視するシステムおよび方法が説明される。ポータブルコンピューティング・デバイスを使用して、各ユニット上に、または各ユニットの近くに配置された固有の機械可読識別子を読み取ることによって、各ユニットはサーバに登録され得る。識別子は、たとえば、バーコード、他の指標、またはＮＦＣタグであり得る。各ユニットの位置情報は、手動入力または第２の識別子の読み取りによって取得され得る。
2020510946.tif 000002
【特許請求の範囲】
【請求項１】
輸送機関内の複数の列線交換ユニット（ＬＲＵ）を登録する方法であって、各列線交換ユニットは、当該列線交換ユニット上またはその近くに配置された固有の機械可読識別子に関連付けられる、前記方法において、
ポータブルコンピューティング・デバイスを使用して、前記複数の列線交換ユニットの第１の列線交換ユニットから第１の機械可読識別子を読み取ることであって、前記第１の機械可読識別子は、前記第１の列線交換ユニット上またはその近くにあり、前記第１の機械可読識別子は、前記第１の列線交換ユニットに固有の識別情報を有する、前記第１の機械可読識別子を読み取ること、
前記ポータブルコンピューティング・デバイスへの位置識別子を受け取ること、
前記第１の機械可読識別子及び位置識別子からの情報の一部又は全てを前記ポータブルコンピューティング・デバイスからサーバに送信することにより、前記第１の列線交換ユニットをその位置とともに前記サーバに登録することであって、前記サーバは、前記第１の列線交換ユニットと通信可能に結合される、前記登録すること、を備える方法。
【請求項２】
前記位置識別子を受け取ることは、
ユーザが前記第１の列線交換ユニットの位置を前記ポータブルコンピューティング・デバイスに手動で入力すること、をさらに含む、請求項１に記載の方法。
【請求項３】
前記位置識別子を受け取ることは、
前記ポータブルコンピューティング・デバイスを使用して位置情報を含む第２の機械可読識別子をキャプチャすること、をさらに含み、
前記第２の機械可読識別子は、前記第１の列線交換ユニットの近くに配置される、請求項１に記載の方法。
【請求項４】
前記第２の機械可読識別子は、各々、前記輸送機関の異なる座席の列に配置された１組の機械可読識別子のうちの１つである、請求項３に記載の方法。
【請求項５】
前記第１の機械可読識別子は、前記第１の列線交換ユニットのディスプレイ上に提示される、請求項１〜４のいずれか一項に記載の方法。
【請求項６】
前記第１の機械可読識別子は、前記第１の列線交換ユニットのケース上に配置される、請求項１〜４のいずれか一項に記載の方法。
【請求項７】
前記第１の機械可読識別子は、前記第１の列線交換ユニットに隣接して配置される、請求項１〜４のいずれか一項に記載の方法。
【請求項８】
前記第１の機械可読識別子は、バーコードを含む、請求項１〜７のいずれか一項に記載の方法。
【請求項９】
前記ポータブルコンピューティング・デバイスは、
前記第１の機械可読識別子の画像をキャプチャするように構成されたカメラを含む、請求項１〜８のいずれか一項に記載の方法。
【請求項１０】
前記第１の機械可読識別子は、ＮＦＣタグを含む、請求項１〜７のいずれか一項に記載の方法。
【請求項１１】
前記第１の機械可読識別子は、ｉＢｅａｃｏｎを含む、請求項１〜７のいずれか一項に記載の方法。
【請求項１２】
前記ポータブルコンピューティング・デバイスは、前記第１の列線交換ユニットから信号を受信するように構成された無線受信機を含む、請求項１０または１１に記載の方法。
【請求項１３】
前記ポータブルコンピューティング・デバイスは、
スマートフォン、スマートウォッチ、またはタブレットＰＣを含む、請求項１〜１２のいずれか一項に記載の方法。
【請求項１４】
前記第１の列線交換ユニットは、
プロセッサ、無線通信インタフェース、およびディスプレイを含む、請求項１〜１３のいずれか１項に記載の方法。
【請求項１５】
前記第１の機械可読識別子を読み取ること、および前記位置識別子を受信することは、前記ポータブルコンピューティング・デバイスにインストールされたソフトウェアアプリケーションを利用する、請求項１〜１４のいずれか一項に記載の方法。
【請求項１６】
前記識別情報は、
前記列線交換ユニットのシリアル番号、ＩＰアドレス、ＭＡＣアドレス、および部品番号のうちの少なくとも１つを含む、請求項１〜１５のいずれか一項に記載の方法。
【請求項１７】
前記識別情報は、
前記列線交換ユニットの組み込み自己診断装置（ＢＩＴＥ）のステータスをさらに含む、請求項１〜１６のいずれか一項に記載の方法。
【請求項１８】
輸送機関内の複数の列線交換ユニット（ＬＲＵ）のステータスを監視する方法であって、各列線交換ユニットは、当該列線交換ユニット上またはその近くに配置された固有の機械可読識別子に関連付けられる、前記方法において、
前記輸送機関内に配置された複数の列線交換ユニットと通信可能に結合されたサーバを提供すること、
前記複数の列線交換ユニットのうちの第１の列線交換ユニットのディスプレイ上に第１の機械可読識別子を提示すること、を備え、
前記第１の機械可読識別子は、前記第１の列線交換ユニットに固有の識別情報を含み、前記識別情報は、前記第１の列線交換ユニットの組み込み自己診断装置（ＢＩＴＥ）のステータスをさらに含む、方法。
【請求項１９】
ポータブルコンピューティング・デバイスを使用して前記第１の列線交換ユニットから前記第１の機械可読識別子を読み取り、前記ポータブルコンピューティング・デバイス上で前記第１の列線交換ユニットのＢＩＴＥのステータスを提示すること、をさらに備える請求項１８に記載の方法。
【請求項２０】
前記第１の機械可読識別子は、バーコードを含む、請求項１７または１８に記載の方法。
【請求項２１】
前記第１の機械可読識別子は、ＮＦＣタグを含む、請求項１８または１９に記載の方法。
【請求項２２】
前記第１の機械可読識別子は、ｉＢｅａｃｏｎを含む、請求項１８または１９に記載の方法。
【請求項２３】
前記第１の列線交換ユニットは、
プロセッサ、無線通信インタフェース、およびディスプレイを含む、請求項１８〜２２のいずれか１項に記載の方法。
【請求項２４】
前記識別情報は、
前記列線交換ユニットのシリアル番号、ＩＰアドレス、ＭＡＣアドレス、および部品番号のうちの少なくとも１つを含む、請求項１８〜２３のいずれか一項に記載の方法。
【発明の詳細な説明】
【技術分野】
【０００１】
本発明の分野は、機内エンターテイメント技術である。
【背景技術】
【０００２】
以下の説明は、本発明を理解するのに有用であり得る情報を含む。本明細書において提供された情報のいずれかが先行技術であるかもしくは現在特許請求されている発明に関連すること、または具体的にもしくは暗黙的に参照される任意の刊行物が先行技術であることを容認するものではない。
【０００３】
ディスプレイおよびコンピューティング技術の価格が低下するにつれて、機内エンターテイメントシステムは、例えば、いくつかの中央位置ではなく、各背もたれまたは他の位置（例えば、オーバーヘッドディスプレイユニット（Overhead Display Units : ODUs）、シートディスプレイユニット（Seat Display Units : SDUs)、モニュメントディスプレイ（monument displays）、ブロードキャストディスプレイまたは同様のもの）に配置された複数のデバイスまたは複数の列線交換ユニット（line-replaceable units : LRUs）を含むようになった。
【０００４】
ユニットの数が増加すると、たとえば、各ユニットを検索して機内エンターテイメントシステムに登録することを含む新たな課題が生じる。これは特に、飛行中または輸送機関が地上にいる間に航空会社の乗務員によって交換される可能性があるＬＲＵの場合に当てはまる。
【０００５】
したがって、航空機または他の輸送機関内の列線交換ユニットを迅速かつ容易に検索して登録する必要が依然としてある。
【発明の概要】
【０００６】
本発明の主題は、（１）設定のためのＬＲＵの無線識別、（２）メンテナンスまたは管理サーバでのＬＲＵの無線登録、（３）航空機内の位置へのＬＲＵのマッピング／サーバでのＬＲＵ位置の登録、（４）ケーブル無しでＬＲＵとの直接的なおよび自動的なメンテナンスのインタラクション、（５）サーバユニットまたはケーブルを必要としないＬＲＵからのＢＩＴＥ（Built-In Test Equipment）情報の直接的な読み出しを有利に可能にする装置、システムおよび方法を提供する。
【０００７】
好ましいシステムおよび方法は、サーバおよび航空機に配置された複数の機内エンターテイメントユニット（本明細書では「列線交換ユニット」または「ＬＲＵ」とも呼ばれる）を利用する。本明細書に含まれる本発明の主題の説明は、航空機に言及していることに留意されたい。しかしながら、システムおよび方法は、電車、バス、または他の複数の乗客の輸送機関などの他の輸送機関、または無線帯域幅が同様に制限される複数の閉鎖環境に適用できることが考えられる。
【０００８】
任意選択として、登録は、航空機または他の輸送機関内のユニットの位置をシステムに提供することをさらに含み得る。たとえば、これは、コンテンツが航空機の特定の部分（ファーストクラス、ビジネスクラス、プレミアムエコノミークラス、エコノミークラスなど）にのみ表示されるユニットで利用できるコンテンツを区別するために重要になる場合がある。また、ユニットが機内エンターテイメントシステムと無線で通信する位置が用いられて、例えば、ユニットが最も近い無線アクセスポイントに確実に接続することの補償を支援することができる。
【０００９】
さらに、メンテナンス担当者が設定、メンテナンス、監視、または制御する必要があるディスプレイユニットを簡単に選択できるように、ユニットは、メンテナンス中にライブで設定および監視する必要がある。
【００１０】
本発明の主題の様々な目的、特徴、態様および利点は、同様の参照番号が同様の構成要素を表す添付の図面とともに、以下の好適な実施形態の詳細な説明からより明らかになるであろう。
【図面の簡単な説明】
【００１１】
【図１】本発明の主題の方法を使用してオーバーヘッドディスプレイユニットを識別する例示的な例を提供する。
【図２】本発明の主題の方法を使用してオーバーヘッドディスプレイユニットの位置を特定する例示的な例を提供する。
【図３】本発明の主題の第２の方法を使用してオーバーヘッドディスプレイユニットを識別する例示的な例を提供する。
【図４】本発明の主題の第２の方法を使用してオーバーヘッドディスプレイユニットの位置を特定する例示的な例を提供する。
【図５】機内エンターテイメントシステムの複数の列線交換ユニットの状態を登録および監視するシステムの一実施形態を例示する。
【発明を実施するための形態】
【００１２】
コンピュータに関する任意の用語は、サーバ、インタフェース、システム、データベース、エージェント、ピア、エンジン、コントローラ、あるいは個別または一体的に動作する他のタイプのコンピューティング・デバイスを含むコンピューティング・デバイスの任意の適切な組み合わせを含むと解釈されるべきである。当業者であれば、コンピューティング・デバイスは、有形の非一時的なコンピュータ可読記憶媒体（例えば、ハード・ドライブ、ソリッド・ステート・ドライブ、ＲＡＭ、フラッシュ、ＲＯＭなど）に記憶されたソフトウェア命令を実行するように構成されたプロセッサを含むと理解し得る。好ましくは、ソフトウェア命令は、開示された装置に関して以下に説明するように、役割、責任、または他の機能を提供するようにコンピューティング・デバイスを構成する。特に好ましい実施形態では、種々のサーバ、システム、データベース、インタフェースは、可能な場合には、ＨＴＴＰ、ＨＴＴＰＳ、ＡＥＳ、公開鍵と秘密鍵の交換、ウェブサービスＡＰＩ、既知の金融取引プロトコル、または他の電子情報交換方法に基づく標準化プロトコルまたはアルゴリズムを用いて、データを交換する。データ交換は、好ましくは、パケット交換ネットワーク、インターネット、ＬＡＮ、ＷＡＮ、ＶＰＮ、または他のタイプのパケット交換ネットワークを介して行われる。
【００１３】
開示された技術は、飛行中又は機能しないユニットを交換可能なときにユニットを位置合わせ（location）及び登録する能力を含む、航空機の客室又は他の輸送機関の内部における列線交換ユニットの迅速な登録及び位置合わせを可能にすることを含む多くの有利な技術的効果を提供することを理解すべきである。
【００１４】
以下の説明は、本発明の主題の多くの例示的な実施形態を提供する。それぞれの実施形態は、本発明の要素の単一の組み合わせを表すが、本発明の主題は、開示された要素の可能な全ての組み合わせを含むと見なされる。したがって、一実施形態が要素Ａ、要素Ｂおよび要素Ｃを含み、第２の実施形態が要素Ｂおよび要素Ｄを含む場合、本発明の主題はまた、明示的に開示されていなくても、Ａ、Ｂ、ＣまたはＤの他の残りの組み合わせを含むと見なされる。
【００１５】
本明細書で使用する場合、また文脈により他に指示されない限り、用語「に結合される（coupled to）」は、直接結合（互いに結合される２つの要素が互いに接触する）および間接結合（少なくとも１つの追加要素が２つの要素の間に配置されている）の両方を含むことが意図される。したがって、「に結合されている」および「と結合されている」という用語は、同義語として使用される。
【００１６】
図１は、複数の機内エンターテイメントユニット１１０の登録およびメンテナンスのためのシステム１００の使用の一実施形態を示す。図面に示されるように、各ユニット１１０のディスプレイは、例えば、二次元Ｑｕｉｃｋ Ｒｅｓｐｏｎｓｅ（ＱＲ）バーコードまたは他の指標（indicia）、ＮＦＣセンサパッド、ｉＢｅａｃｏｎまたは他のマーカーまたは同様の目的に役立つ商業的に適切な指標または技術を含み得る固有の機械可読識別子１２０を提示することができる。
【００１７】
いくつかの実施形態では、ユニットまたはＬＲＵは、メモリ、プロセッサ、無線インタフェース（例えば、Ｗｉ−Ｆｉ、セルラーなど）、およびビデオ再生用のディスプレイ画面を含み得る。企図される複数のＬＲＵは、例えば、複数の背もたれ（seat-backs）（これは、背もたれユニット内の全ての構成要素を有する自己完結型背もたれＬＲＵと、ディスプレイ画面が背もたれ内に組み込まれているが、記憶装置、複数の通信インタフェース及び／又は１つまたは複数のプロセッサのような他の構成要素がシートの下又はシートと別個の部分に配置されたモジュール式ＬＲＵシステムの両方を含む）および複数のオーバーヘッドディスプレイユニット（「overhead display units : ODU」）内の航空機の複数の座席に組み込まれたエンターテインメントユニットを含み得る。またいくつかの実施形態では、ＬＲＵは、短距離データ交換が可能な短距離無線データ通信インタフェースを含み得る。短距離無線インタフェースの複数の例は、近距離通信インタフェース、Ｂｌｕｅｔｏｏｔｈ、およびＩＲ（赤外線）を含む。いくつかの実施形態では、ＬＲＵは、データ交換および／または電源供給のために他のコンピューティング・デバイスに接続可能な有線接続インタフェース（例えば、ＵＳＢ、ＨＤＭＩ、Ｔｈｕｎｄｅｒｂｏｌｔなど）を含み得る。
【００１８】
ディスプレイを有していない複数のユニットの場合、ディスプレイのない複数のユニットは、例えば、そのケース上に印刷された２次元バーコード、ＮＦＣセンサパッド、ｉＢｅａｃｏｎ、または他の商業的に適切な指標または技術を含み得る機械可読識別子を含むことができることが考えられる。
【００１９】
ポータブルコンピューティング・デバイス１３０は、リーダー（reader）／レジストラ（registrar）として機能することができ、例えば、タブレットＰＣ、スマートフォン、または他のポータブルコンピューティング・デバイスであり得る。ポータブルコンピューティング・デバイス１３０は、機械可読識別子１２０を読み取るように使用されることが好ましい。たとえば、図１に示すように、デバイス１３０は、ＱＲコード１２０をキャプチャまたはスキャンすることができる。ＱＲコードが別の識別子に置き換えられる場合、デバイス１３０は、たとえば、他の指標、ＮＦＣタグ、またはｉＢｅａｃｏｎを読み取るように使用され得ることができると考えられる。機械可読識別子は、ユニット１１０の識別を可能にする情報を含む。例示的な情報は、例えば、ＬＲＵシリアル番号、ＬＲＵ ＩＰアドレス、ＬＲＵ ＭＡＣアドレス、およびＬＲＵ部品番号のうちの１つまたは複数を含み得る。
【００２０】
図１に示されるように、ポータブルコンピューティング・デバイス１３０は、２Ｄバーコードまたは他の指標を撮影またはスキャンすることにより、またはＮＦＣまたはｉＢｅａｃｏｎを読み取ることにより、この情報を取得することが好ましい。一旦取得されると、メンテナンス又は他の担当者は、ユニット１１０の設置場所（例えば、シート１５Ｄ）を入力し、バーコードから受け取った情報を補足することができる。次に、装置１３０は、ユニット１１０をその位置とともにサーバに登録することができる。このプロセスの利点は、ユニット１１０におけるデータインタフェース、コネクタまたは同様のものへのアクセスが不要であり、複数のユニット（例えば、ＬＲＵ）が迅速かつ容易に識別され且つ設定されることである。これは、たとえば、機能していないＬＲＵの機内交換中に特に重要である。
【００２１】
ユニット１１０の設置位置を手動で追加する代わりに、図２，４に示されるように、第２の機械可読マーカー１４０が、ユニット１１０の取り付けフレームまたは他の近くの位置に配置され得る。この第２の位置マーカー１４０は、例えば、座席列番号、または輸送機関のサービスクラスを含み得る航空機または他の輸送機関に関する位置情報を含む。次に、読み取り装置１３０は、機械可読識別子１２０，１４０の両方を読み取ることができる。例えば、読み取り装置１３０は、２Ｄバーコードの両方、ＬＲＵの２Ｄバーコード、およびＬＲＵが設置されている取り付けフレームの２Ｄバーコードをスキャンすることができ、あるいはＮＦＣまたはｉＢｅａｃｏｎの両方、またはそれらの組み合わせを読み取ることができる。読み取り装置は、次いで、フレームからの位置情報を、ＬＲＵにおける機械可読マーカーからの装置ＩＤに自動的にマッピングすることができる。
【００２２】
いずれの場合でも、情報が取得されると、タブレットＰＣ、スマートフォン、またはその他のポータブルコンピューティング・デバイス１３０は、ユニット１１０を制御する航空機内のサーバに、組み合わされた情報を送信できる。サーバは、どのユニットがどの位置に取り付けられているかについての詳細な知識を有する。このプロセスは、ポータブルコンピューティング・デバイス１３０にインストールされている特有のアプリケーションを使用して自動化できることが考えられる。
【００２３】
例えば、ユニット１１０がメンテナンス中に直接的に設定を必要とする場合、メンテナンス担当者は、機械可読マーカー１２０をスキャンし（例えば、画面上の２Ｄ ＱＲコードをスキャンするか、ＮＦＣを読み取り）、ユニット１１０に関するすべての情報を検索することができる。次いで、この情報は、例えば、実際のＩＰアドレスを用いて使用され、読み取り装置１３０は、メンテナンス担当者が検査しているユニット１１０に自動的に接続することができる。このようにして、メンテナンス担当者は、現在再調査されているユニット１１０に接続することを確信することができる。
【００２４】
同様の原理は、ディスプレイのないＬＲＵにも使用できる。これらの場合、ＬＲＵは、例えば、シリアル番号、部品番号、ＭＡＣアドレスなど、ＬＲＵに関する静的情報を含むステッカーラベル（sticker-label）を含み得る。読み取り装置１３０上のメンテナンスアプリは、例えば、バーコードをスキャンし、ＬＲＵから検索された識別情報を送信することにより、サーバからのＬＲＵの現在のＩＰアドレスを問い合わせることができる。次いで、この情報を用いて、読み取り装置１３０は、例えば、メンテナンス、制御、または監視タスクを実行するためにＬＲＵに自動的に接続することができる。
【００２５】
ディスプレイを有するＬＲＵは、組み込み自己診断装置（Built-In Test Equipment : BITE）のステータスに関する情報を機械可読マーカー、例えば、２Ｄ ＱＲコード、またはＮＦＣまたはｉＢｅａｃｏｎを介して送信された情報に含めることができることがさらに企図される。有利なことに、メンテナンス担当者は、制御される各ＬＲＵの機械可読マーカーを読み取ることができる。次いで、メンテナンス装置（例えば、スマートフォンまたはタブレットＰＣ）上のアプリケーションは、ＬＲＵステータス、エラーなどを識別するために、メンテナンス担当者にＢＩＴＥのステータスを表示することができる。
【００２６】
図５は、機内エンターテイメントシステムの複数の列線交換ユニットまたは他のユニット２１０のステータスを登録および監視するシステム２００の一実施形態を例示する。図面に示されるように、各ＬＲＵ２１０は、例えば、個々の背もたれに配置されるが、１つ以上のＬＲＵが、オーバーヘッドコンパートメント（overhead compartment）、バルクヘッド（bulkhead）、または他の位置に結合されることが考えられる。
【００２７】
第１のＬＲＵ２１０は、第１の機械可読識別子２２０を表示し得る。しかしながら、代替的な実施形態では、識別子２２０は、例えば、そのケース上またはＬＲＵ２１０近くの背もたれ上など、ＬＲＵ２１０に隣接して配置され得る。識別子２２０がＮＦＣタグまたは他の非バーコードを含む場合、ＬＲＵ２１０を読み取る準備ができたことを担当者に知らせるために、識別子２２０の代わりに画像が表示されることが考えられるが、これは必須ではない。
【００２８】
上述したように、ポータブルコンピューティング・デバイス２３０は、リーダー／レジストラとして機能することができ、例えば、タブレットＰＣ、スマートフォン、または他のポータブルコンピューティング・デバイスであり得る。ポータブルコンピューティング・デバイス２３０は、例えば、識別子２２０をスキャンまたは読み取ることにより、機械可読識別子２２０を読み取るように使用されることが好ましい。機械可読識別子２２０は、ユニット１１０の識別を可能にする情報を含み、また好ましくはＬＲＵ２１０のＢＩＴＥステータスを含む。例示的な情報は、例えば、ＬＲＵシリアル番号、ＬＲＵ ＩＰアドレス、ＬＲＵ ＭＡＣアドレス、およびＬＲＵ部品番号のうちの１つまたは複数を含み得る。
【００２９】
第２の機械可読マーカー２４０は、ユニット２１０の取り付けフレーム、または図示のようにオーバーヘッドコンパートメントなどの他の近くの位置に配置され得る。この第２の位置マーカー２４０は、好ましくは、航空機または他の輸送機関に関する位置情報を含み、特定のＬＲＵに固有ではなく、むしろ１組のＬＲＵに固有であってもよい。次いで、読み取り装置２３０は、機械可読識別子２２０，２４０の両方を読み取ることができる。例えば、読み取り装置１３０は、２Ｄバーコードの両方、ＬＲＵの２Ｄバーコード、およびＬＲＵが設置されている取り付けフレームの２Ｄバーコードをスキャンすることができ、あるいはＮＦＣまたはｉＢｅａｃｏｎの両方、またはそれらの組み合わせを読み取ることができる。読み取り装置は、次いで、フレームからの位置情報を、ＬＲＵにおける機械可読マーカーからの装置ＩＤに自動的にマッピングすることができる。
【００３０】
デバイス２３０は、サーバ２５０と通信するように構成される。例えば、ＬＲＵ２１０に関して識別および位置情報が検索されると、第一のＬＲＵ２１０は、第一の機械可読識別子および位置識別子からの情報の一部または全てをポータブルコンピューティング・デバイス２３０からサーバ２５０に送信することによって、サーバ２５０に登録され得る。
【００３１】
またサーバ２５０は、第１のＬＲＵ２１０と通信可能に結合され、例えば、メンテナンス中に第１のＬＲＵに識別子を表示させることができる。他の実施形態では、ＬＲＵがサーバ２５０に登録されていることを示す信号がサーバ２５０から受信されるまで、ＬＲＵの起動ルーチンが識別子を表示することを含み得ることが考えられる。
【００３２】
いくつかの実施形態では、本発明の特定の実施形態を説明および特許請求するために使用される成分の量、濃度などの特性、反応条件などを表す数は、場合より、「約」という用語によって修飾されると理解されたい。したがって、いくつかの実施形態では、明細書と添付の特許請求の範囲とに記載の数値パラメータは、特定の実施形態によって得られるように求められる所望の特性に応じて変化する可能性のある近似値である。いくつかの実施形態では、数値パラメータは、報告された有効桁数を考慮して、通常の丸め技法を適用することによって解釈されるべきである。本発明のいくつかの実施形態の広い範囲を説明する数値範囲およびパラメータは、近似値であるにもかかわらず、特定の実施例に記載された数値は、実施可能な限り正確に報告されている。本発明のいくつかの実施形態に示した数値は、それぞれの試験測定値に見られる標準偏差から必然的に生じるある一定の誤差を含んでもよい。
【００３３】
本明細書の説明において、また特許請求の範囲を通して使用される場合、文脈から明らかにそうでないことが示されない限り、「ａ」、「ａｎ」および「ｔｈｅ」の意味は、複数への言及を含む。また、本明細書の説明において使用される場合、「中に（in）」の意味は、文脈により明らかにそうでないことが示されない限り、「中に（in）」および「上に（on）」を含む。
【００３４】
本明細書における値の範囲の列挙は、その範囲内に含まれるそれぞれの別々の値を個々に指す簡潔な方法として役立つことを単に意図している。本明細書において特に指定がない限り、それぞれの個別の値は、あたかも本明細書で個別に列挙されているかのように、本明細書に組み込まれる。本明細書中に記載される全ての方法は、本明細書中において指示がない限り、または文脈によって明らかに矛盾しない限り、任意の適切な順序で実施することができる。本明細書の特定の実施形態に関して提供されるありとあらゆる例、または例示的な言語（例えば「など」）の使用は、本発明をよりよく明らかにすることを単に意図したものであり、特許請求の範囲に記載されていない場合には、本発明の範囲を限定するものではない。本明細書中のいかなる言語も、本発明の実施に必須の、特許請求の範囲に記載されていない要素を示すと解釈されるべきではない。
【００３５】
本明細書に開示された本発明の代替要素または実施形態の群分類は、限定として解釈されるべきではない。それぞれの群構成要素は、個別に、またはその群の他の構成要素もしくは本明細書に見出される他の要素との任意の組み合わせで、参照および特許請求することができる。利便性および特許性の理由または利便性もしくは特許性の理由から、群の１つまたは複数の構成要素は、群に含めることも、群から削除することもできる。あらゆるそのような包含または削除が生じたとき、ここで、本明細書は、変更されたとおりの群を含み、したがって添付の特許請求の範囲で使用される全てのマーカッシュ群の書面による説明を満たすものと見なされる。
【００３６】
本明細書の発明概念から逸脱することなく、既に記載されたもの以外にもさらに多くの修正が可能であることが当業者には明らかであろう。したがって、本発明の主題は、添付の特許請求の範囲の趣旨を除き、制限されるべきではない。さらに、明細書と特許請求の範囲との両方を解釈する際に、全ての用語は、文脈と矛盾しない最も広い方法で解釈されるべきである。特に、用語「備える」および「備えている」は、参照される要素、構成要素もしくは工程が存在してもよいか、または利用されてもよいか、または明示的に参照されていない他の要素、構成要素もしくは工程と組み合わされてもよいことを示す非排他的な様式で、要素、構成要素もしくは工程を指すものとして解釈されるべきである。明細書の特許請求の範囲が、Ａ，Ｂ，Ｃ，…，Ｎからなる群から選択される少なくとも１つのものを指す場合、テキストは、その群から１つの要素のみを必要とし、ＡおよびＮまたはＢおよびＮなどではないと解釈すべきである。
【図１】
2020510946.tif 000003
【図２】
2020510946.tif 000004
【図３】
2020510946.tif 000005
【図４】
2020510946.tif 000006
【図５】
2020510946.tif 000007
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
輸送機関内の複数の列線交換ユニット（ＬＲＵ）を登録する方法であって、各列線交換ユニットは、当該列線交換ユニット上またはその近くに配置された固有の機械可読識別子に関連付けられる、前記方法において、
ポータブルコンピューティング・デバイスを使用して、前記複数の列線交換ユニットの第１の列線交換ユニットから第１の機械可読識別子を読み取ることであって、前記第１の機械可読識別子は、前記第１の列線交換ユニット上またはその近くにあり、前記第１の機械可読識別子は、前記第１の列線交換ユニットに固有の識別情報を有する、前記第１の機械可読識別子を読み取ること、
前記ポータブルコンピューティング・デバイスへの特定位置を示す位置識別子を受け取ることであって、前記位置識別子は、前記第１の機械可読識別子とは異なる、前記位置識別子を受け取ること、
前記第１の機械可読識別子及び位置識別子からの情報の一部又は全てを前記ポータブルコンピューティング・デバイスからサーバに送信することにより、前記第１の列線交換ユニットを前記特定位置とともに前記サーバに登録すること、
前記ポータブルコンピューティング・デバイスを使用して、前記複数の列線交換ユニットのうちの第２の列線交換ユニットから第２の機械可読識別子を読み取ることであって、前記第２の機械可読識別子は、前記第２の列線交換ユニット上またはその近くにあり、前記第２の機械可読識別子は、前記第２の列線交換ユニットに固有の識別情報を含む、前記第２の機械可読識別子を読み取ること、
前記ポータブルコンピューティング・デバイスへの第２の特定位置を示す第２の位置識別子を受け取ること、
前記第２の機械可読識別子及び位置識別子からの情報の一部又は全てを前記ポータブルコンピューティング・デバイスから前記サーバに送信することにより、前記第２の列線交換ユニットを前記第２の特定位置とともに前記サーバに登録することであって、前記サーバは、前記第１の列線交換ユニット及び前記第２の列線交換ユニットと通信可能に結合される、前記サーバに登録すること、を備える方法。
【請求項２】
前記位置識別子を受け取ることは、
ユーザが前記第１の列線交換ユニットの位置を前記ポータブルコンピューティング・デバイスに手動で入力すること、をさらに含む、請求項１に記載の方法。
【請求項３】
前記位置識別子を受け取ることは、
前記ポータブルコンピューティング・デバイスを使用して位置情報を含む第３の機械可読識別子をキャプチャすること、をさらに含み、
前記第３の機械可読識別子は、前記第１の列線交換ユニットの近くに配置される、請求項１に記載の方法。
【請求項４】
前記第３の機械可読識別子は、各々、前記輸送機関の異なる座席の列に配置された１組の機械可読識別子のうちの１つである、請求項３に記載の方法。
【請求項５】
前記第１の機械可読識別子は、前記第１の列線交換ユニットのディスプレイ上に提示される、請求項１に記載の方法。
【請求項６】
前記第１の機械可読識別子は、前記第１の列線交換ユニットのケース上に配置される、請求項１に記載の方法。
【請求項７】
前記第１の機械可読識別子は、前記第１の列線交換ユニットに隣接して配置される、請求項１に記載の方法。
【請求項８】
前記第１の機械可読識別子は、バーコードを含む、請求項１に記載の方法。
【請求項９】
前記ポータブルコンピューティング・デバイスは、
前記第１の機械可読識別子の画像をキャプチャするように構成されたカメラを含む、請求項１に記載の方法。
【請求項１０】
前記第１の機械可読識別子は、ＮＦＣタグを含む、請求項１に記載の方法。
【請求項１１】
前記第１の機械可読識別子は、ｉＢｅａｃｏｎを含む、請求項１に記載の方法。
【請求項１２】
前記ポータブルコンピューティング・デバイスは、前記第１の列線交換ユニットから信号を受信するように構成された無線受信機を含む、請求項１０に記載の方法。
【請求項１３】
前記ポータブルコンピューティング・デバイスは、
スマートフォン、スマートウォッチ、またはタブレットＰＣを含む、請求項１に記載の方法。
【請求項１４】
前記第１の列線交換ユニットは、
プロセッサ、無線通信インタフェース、およびディスプレイを含む、請求項１に記載の方法。
【請求項１５】
前記第１の機械可読識別子を読み取ること、および前記位置識別子を受信することは、前記ポータブルコンピューティング・デバイスにインストールされたソフトウェアアプリケーションを利用する、請求項１に記載の方法。
【請求項１６】
前記識別情報は、
前記列線交換ユニットのシリアル番号、ＩＰアドレス、ＭＡＣアドレス、および部品番号のうちの少なくとも１つを含む、請求項１に記載の方法。
【請求項１７】
前記識別情報は、
前記列線交換ユニットの組み込み自己診断装置（ＢＩＴＥ）のステータスをさらに含む、請求項１に記載の方法。
【請求項１８】
輸送機関内の複数の列線交換ユニット（ＬＲＵ）のステータスを監視する方法であって、各列線交換ユニットは、当該列線交換ユニット上またはその近くに配置された固有の機械可読識別子に関連付けられる、前記方法において、
前記輸送機関内に配置された複数の列線交換ユニットと通信可能に結合されたサーバを提供すること、
前記複数の列線交換ユニットのうちの第１の列線交換ユニットのディスプレイ上に第１の機械可読識別子を提示すること、
前記複数の列線交換ユニットのうちの第２の列線交換ユニットのディスプレイ上に第２の機械可読識別子を提示すること、を備え、
前記第１および第２の機械可読識別子の各々は、前記第１または第２の列線交換ユニットにそれぞれ固有の識別情報を含み、前記識別情報は、対応する前記第１または第２の列線交換ユニットの組み込み自己診断装置（ＢＩＴＥ）のステータスをさらに含む、方法。
【請求項１９】
ポータブルコンピューティング・デバイスを使用して前記第１の列線交換ユニットから前記第１の機械可読識別子を読み取りかつ前記第２の列線交換ユニットから前記第２の機械可読識別子を読み取り、前記ポータブルコンピューティング・デバイス上で前記第１の列線交換ユニットのＢＩＴＥのステータスを提示すること、をさらに備える請求項１８に記載の方法。
【請求項２０】
前記第１の機械可読識別子は、バーコードを含む、請求項１７に記載の方法。
【請求項２１】
前記第１の機械可読識別子は、ＮＦＣタグを含む、請求項１８に記載の方法。
【請求項２２】
前記第１の機械可読識別子は、ｉＢｅａｃｏｎを含む、請求項１８に記載の方法。
【請求項２３】
前記第１の列線交換ユニットは、
プロセッサ、無線通信インタフェース、およびディスプレイを含む、請求項１８に記載の方法。
【請求項２４】
前記識別情報は、
前記列線交換ユニットのシリアル番号、ＩＰアドレス、ＭＡＣアドレス、および部品番号のうちの少なくとも１つを含む、請求項１８に記載の方法。
【国際調査報告】
2020510946.tif 000008
2020510946.tif 000009
2020510946.tif 000010
2020510946.tif 000011